(57)【要約】【課題】着用したときに胸にぴったりとフィットし、しっかりと胸を支えて固定できるカップ付き衣服の提供。【解決手段】カップ付きタンクトップ１が、前身頃４と後身頃５とを有するタンクトップ２に別体のカップ部３を設けたものから成り、カップ部３が、前布６と椀状に膨出した左右１対のカップ布７ａ、７ｂとで構成されており、カップ部３が、前身頃４の内側のバスト部８に前身頃４と重ねてタンクトップ２に縫着されている。カップ布３の少なくとも一部にカップ布３と重なった当て布１２が設けられており、カップ布３と当て布１２との間に、パッド１０を収容可能なパッド収容部１１が形成されている。パッド収容部１１は袋状の空間であり、開口部９を通してパッド収容部１１の中にパッド１０を出し入れできる。前布６は、フィラメント系ナノ繊維を材質とする。【選択図】図２
0003186323.tif 000002
【実用新案登録請求の範囲】
【請求項１】
前身頃と後身頃とを有する外着に別体のカップ部を設けたカップ付き衣服であって、
前記カップ部が、前布と椀状に膨出した左右１対のカップ布とで構成されており、
前記カップ部が、前記前身頃の内側のバスト部に前記前身頃と重ねて前記外着に縫着されていることを特徴とするカップ付き衣服。
【請求項２】
請求項１に記載のカップ付き衣服において、
前記カップ布が、少なくとも外側及び内側の布地を含む複数の布地を重ねて構成されており、
前記カップ布の少なくとも一部に切れ込み部又は開口部を形成することによって、前記カップ布の外側及び内側の布地の間に、パッドを収容可能なパッド収容部が形成されていることを特徴とするカップ付き衣服。
【請求項３】
請求項１に記載のカップ付き衣服において、
前記カップ布の外側の少なくとも一部に前記カップ布と重なった当て布が設けられており、
前記カップ布と前記当て布との間に開口部を形成して、前記カップ布と前記当て布との間に、パッドを収容可能なパッド収容部が形成されていることを特徴とするカップ付き衣服。
【請求項４】
請求項２又は３に記載のカップ付き衣服において、
前記パッド収容部が袋状の空間であり、
前記開口部を通して前記パッド収容部の中に前記パッドを出し入れできることを特徴とするカップ付き衣服。
【請求項５】
請求項１〜５のいずれか１項に記載のカップ付き衣服において、
前記前布が、フィラメント系ナノ繊維を材質とすることを特徴とするカップ付き衣服。
【考案の詳細な説明】
【技術分野】
【０００１】
本考案は、着用者の体にフィットしてしっかりと固定することが可能なカップ付き衣服に関する。
【背景技術】
【０００２】
近年、タンクトップ、Ｔシャツといった外着の内側にカップ部を縫着することによって、下着と兼用したカップ付き衣服が着用されるようになっている。このようなカップ付き衣服の例が、例えば、特許文献１乃至特許文献３に開示されている。
【先行技術文献】
【特許文献】
【０００３】
【特許文献１】特開２０１１−８４８４７号公報
【特許文献２】特開２００３−１２９３０３号公報
【特許文献３】特開２０００−１４４５０３号公報
【考案の概要】
【考案が解決しようとする課題】
【０００４】
カップ付き衣服は、着用したときに胸にぴったりとフィットし、しっかりと胸を支えて固定できるものでなければならない。また、夏季に着用する場合には、素早く汗を吸うことで着心地の良いことが要求される。さらに、個人個人の体型に合わせてカップ部を調節できることが望ましい。したがって、カップ付き衣服においては、フィット性、吸湿性、といったことが課題となっている。
【０００５】
上記のような課題に鑑みて、本考案は、着用者の胸にぴったりとフィットし、着心地の良いカップ付き衣服を提供することを目的とする。
【課題を解決するための手段】
【０００６】
前記課題を解決するために本考案に係るカップ付き衣服は、前身頃と後身頃とを有する外着（例えば、実施形態におけるタンクトップ２）に別体のカップ部を設けたカップ付き衣服であって、カップ部が、前布と椀状に膨出した左右１対のカップ布とで構成されており、カップ部が、前身頃の内側のバスト部に前身頃と重ねて外着に縫着されていることを特徴とする。
【０００７】
また、上記構成のカップ付き衣服において、カップ布が、少なくとも外側及び内側の布地を含む複数の布地を重ねて構成されており、カップ布の少なくとも一部に、切れ込み部又は開口部を形成することによって、カップ布の外側及び内側の布地の間に、パッドを収容可能なパッド収容部が形成されているのが好ましい。
【０００８】
また、上記構成のカップ付き衣服において、カップ布の外側の少なくとも一部にカップ布と重なった当て布が設けられており、カップ布と当て布との間に、パッドを収容可能なパッド収容部が形成されていてもよい。
【０００９】
また、上記構成のカップ付き衣服において、パッド収容部が袋状の空間であり、開口部を通してパッド収容部の中にパッドを出し入れできるのが好ましい。
【００１０】
また、上記構成のカップ付き衣服において、前布が、フィラメント系ナノ繊維を材質とするのが好ましい。
【考案の効果】
【００１１】
本考案のカップ付き衣服によれば、カップ部が、外着の前身頃のバスト部の内側に前身頃と重ねて外着に縫着されているが、外着の後身頃の側には何も設けられていないため（カップ部からベルト等が背中の側に延びていないため）、着用したときに体を締め付け過ぎることがなく、着心地が良い。
【００１２】
また、パッド収容部に収容されたパッドにより、カップ付き衣服を着用したときにパッドが伸縮し、着用者の肌にカップ部が密着してしっかりと固定する。したがって、カップ付き衣料を長時間着用してもズレることがない。
【００１３】
また、開口部を通してパッド収容部の中にパッドが出し入れできることで、個人個人の体型に合わせてカップ部が体にしっかりとフィットするようカップ部を調節することが可能である。
【００１４】
さらに、前布を、滑りにくく、且つ収湿性、速乾性に優れたフィラメント系ナノ繊維とすることで、前布が肌に密着してしっかりと胸にフィットして長時間着用してもズレることがないとともに、特に、夏季にカップ付き衣服を着用した場合、当該繊維が素早く汗を吸収するため、着心地が良い。
【図面の簡単な説明】
【００１５】
【図１】図１は、本考案に係るカップ付き衣服の前側図である。
【図２】図２は、本考案に係るカップ付き衣服を裏返した状態の裏側図である。
【図３】図３は、本考案に係るカップ付き衣服の後側図である。
【考案を実施するための形態】
【００１６】
以下において、図１乃至図３を参照して、カップ付きタンクトップを例として、本考案に係るカップ付き衣服の実施形態を説明する。図１は、カップ付きタンクトップ１の前側図で、図２は、カップ付きタンクトップ１を裏返した状態の裏側図で、図３は、カップ付きタンクトップ１の後側図である。
【００１７】
図１乃至図３に示すように、カップ付きタンクトップ１は、外着としてのタンクトップ２の前身頃４にタンクトップ２とは別体のカップ部３が縫着されている。なお、本実施例はタンクトップに関するものであるが、本考案のカップ付き衣服は、外着として、Ｔシャツ、キャミソール等のタンクトップ以外のものであってもよい。
【００１８】
タンクトップ２は、前身頃４と前身頃４に縫合された後身頃５とを有している。カップ部３は、前身頃４に縫い付けられた前布６と、前布６に縫い付けられた左右１対のカップ布７とを有して構成される。左側カップ布７ａ及び右側カップ布７ｂは、いずれも、カップ付きタンクトップ１の着用者の胸部を受容するよう椀状に膨出している。カップ部３は、前身頃４のバスト部８の内側に前身頃４と重なるようにしてタンクトップ２に縫着されているが、図３に示すように、タンクトップ２の後身頃５の側には何も設けられていない（カップ部３からベルト等が背中の側に延びていない）。
【００１９】
前布６は、左バスト脇上布１３、右バスト脇上布１４、左バスト脇下布１５、右バスト脇下布１６及びバスト間布１７で構成される。左バスト脇上布１３の一方の端部は、前身頃４の左側の脇刳り部分に、右バスト脇上布１４の一方の端部は、前身頃４の右側の脇刳り部分に、それぞれ縫着されている。また、左バスト脇上布１３及び右バスト脇上布１４の他方の端部には、それぞれ、左側カップ布７ａ及び右側カップ布７ｂが縫着されている。一方、左バスト脇下布１５は、左側の脇下であって前身頃４と後身頃５の境界部分に、右バスト脇下布１６は、右側の脇下であって前身頃４と後身頃５の境界部分に、それぞれ縫着されている。左バスト脇下布１５は、左バスト脇上布１３及び左側カップ布７ａに、右バスト脇下布１６は、右バスト脇上布１４及び右側カップ布７ｂにも縫着されている。さらに、左側カップ布７ａ及び右側カップ布７ｂ間においては、バスト間布１７が、これらに逢着されている。このバスト間布１７は、左バスト脇下布１５及び右バスト脇下布１６にも縫着されている。
【００２０】
カップ部３の前布６、すなわち、左バスト脇上布１３、右バスト脇上布１４、左バスト脇下布１５、右バスト脇下布１６及びバスト間布１７は、いずれも、例えば、ナノフロント（登録商標）といった、所定の混用率のポリエステルとポリウレタンとを混用したフィラメント系ナノ繊維を材質としている。フィラメント系ナノ繊維は、滑りにくい性質を有しており、また肌に密着するため、カップ部３の前布６がしっかりと胸にフィットする。したがって、カップ部３に繋がったベルト等が後身頃５に設けられてなくても、カップ部３が着用者の胸部からズレることがない。さらに、フィラメント系ナノ繊維は、収湿性、速乾性に優れており、特に、夏季にカップ付きタンクトップ１を着用した場合であっても、素早く汗を吸収するため、快適に過ごすことが可能となる。
【００２１】
一つの実施例として、左側カップ布７ａ及び右側カップ布７ｂは、いずれも、外側の布地及び内側の布地から成る複数枚の生地を重ねて縫い合わせて構成される。これらの布地のうち、カップ布７ａ、７ｂの内側の生地には、切れ込み部又は開口部９が形成されており、カップ布７ａ、７ｂの外側の布地と内側の布地との間に、袋状の空間であるパッド収容部１１が形成され、この中にパッド１０を収容できるようになっている。このため、切れ込み部又は開口部９を通して、パッド収容部１１の中にパッド１０を入れ、又は、パッド収容部１１の中からパッド１０を出して、着用者の体型に合わせてタンクトップ１の外形を調節することができる。
【００２２】
パッド収容部１１を形成するための他の実施例として、当て布１２を使用してもよい。この当て布１２は、カップ布７ａ、７ｂの形状に合わせて、カップ布７ａ、７ｂの内側の少なくとも一部に、それぞれカップ布７ａ、７ｂと重なるよう縫着されている。当て布１２の三方の縁のうち、二方の縁をカップ布７ａ、７ｂに縫い付けることによって、当て布１２とカップ布７ａ、７ｂとの間に、パッド１０を収容可能な袋状のパッド収容部１１が形成される。また、当て布１２の残りの縁とカップ布７ａ、７ｂとによって、パッド収容部１１に通じる開口部９が形成され、この開口部９を通して、パッド収容部１１の中にパッド１０を入れ、又は、パッド収容部１１の中からパッド１０を出すことができる。
【００２３】
パッド１０は、略レモン形状であり、綿の表地の中にポリウレタン繊維を詰めた伸縮性の大きなものから成るが、必ずしもこの形状、材質に限定されない。カップ付きタンクトップ１を着用するときに、このパッド１０を、開口部９を通してパッド収容部１１に入れることによって、パッド１０が着用者の胸に合わせて自在に伸縮するため、カップ部３の胸へのフィット性を改善することができる。なお、パッド１０は、開口部９を通してパッド収容部１１に対して出し入れ自由なため、カップ付きタンクトップ１の着用者に応じて、様々な形状、厚さを有するパッド１０を適宜交換して使用することが可能である。また、パッド収容部１１の中のパッド１０の位置を調整することによって、着用者が最も快適な状態でカップ付きタンクトップ１を着用することができる。
【００２４】
本考案のカップ付きタンクトップ１は、カップ部３がタンクトップ２の後身頃５の側には設けられていないが（背中の側に向けてベルト等が延びていないが）、パッド収容部１１にパッド１０が収容されていることから、カップ部３がより胸に密着した状態で胸を固定し、長時間着用してもズレにくく、安定性を確保することができる。
【符号の説明】
【００２５】
１  カップ付きタンクトップ（カップ付き衣服）
２  タンクトップ（外着）
３  カップ部
４  前身頃
５  後身頃
６  前布
７  カップ布
７ａ  左側カップ布
７ｂ  右側カップ布
８  バスト部
９  切れ込み部又は開口部
１０  パッド
１１  パッド収容部
１２  当て布
１３  左バスト脇上布
１４  右バスト脇上布
１５  左バスト脇下布
１６  右バスト脇下布
１７  バスト間布
【図１】
0003186323.tif 000003
【図２】
0003186323.tif 000004
【図３】
0003186323.tif 000005
【手続補正書】
【提出日】平成25年8月1日(2013.8.1)
【手続補正１】
【補正対象書類名】実用新案登録請求の範囲
【補正対象項目名】全文
【補正方法】変更
【補正の内容】
【実用新案登録請求の範囲】
【請求項１】
前身頃と後身頃とを有する外着に別体のカップ部を設けたカップ付き衣服であって、
前記カップ部が、前布と椀状に膨出した左右１対のカップ布とで構成されており、
前記カップ部が、前記前身頃の内側のバスト部に前記前身頃と重ねて前記外着に縫着されていることを特徴とするカップ付き衣服。
【請求項２】
請求項１に記載のカップ付き衣服において、
前記カップ布が、少なくとも外側及び内側の布地を含む複数の布地を重ねて構成されており、
前記カップ布の少なくとも一部に切れ込み部又は開口部を形成することによって、前記カップ布の外側及び内側の布地の間に、パッドを収容可能なパッド収容部が形成されていることを特徴とするカップ付き衣服。
【請求項３】
請求項１に記載のカップ付き衣服において、
前記カップ布の外側の少なくとも一部に前記カップ布と重なった当て布が設けられており、
前記カップ布と前記当て布との間に開口部を形成して、前記カップ布と前記当て布との間に、パッドを収容可能なパッド収容部が形成されていることを特徴とするカップ付き衣服。
【請求項４】
請求項２又は３に記載のカップ付き衣服において、
前記パッド収容部が袋状の空間であり、
前記開口部を通して前記パッド収容部の中に前記パッドを出し入れできることを特徴とするカップ付き衣服。
【請求項５】
請求項１〜４のいずれか１項に記載のカップ付き衣服において、
前記前布が、フィラメント系ナノ繊維を材質とすることを特徴とするカップ付き衣服。